(57)【特許請求の範囲】
【請求項１】
正方形または長方形からなるベース面部と、
該ベース面部の左右の辺に沿って第１、第２ヒンジ部を形成して表側に略直角に屈曲可能にそれぞれ連設された多角形からなる左右対称のワーク面部と、
上記ベース面部の下方の辺に沿って延び、第３ヒンジ部を形成して表裏いずれの側にも略直角に屈曲可能に連結された指掛け面部とからなり、
該指掛け面部は、前記左右のワーク面部のベース面部との連結部分を除いた外周の辺にそれぞれ対応した数と長さに設定された複数の指掛け構成面部と、前記第３ヒンジ部と平行し前記連接する指掛け構成面部間に設けられて表裏いずれの側にも略直角に屈曲可能な複数の補助ヒンジ部とからなっており、
該指掛け面部は、前記左右のワーク面部のベース面部との連結部分を除いた外周の辺にそれぞれ対応した数と長さに設定された複数の指掛け構成面部と、前記第３ヒンジ部と平行し前記連接する指掛け構成面部間に設けられて表裏いずれの側にも略直角に屈曲可能な複数の補助ヒンジ部とからなっており、
前記ベース面部と指掛け面部とには、箱形に折り曲げた際、および指掛け用の筒体に折り曲げられた際に両者を着脱可能に係止する係止手段を設けており、
不使用時には、ベース面部の左右のワーク面部を第１、第２ヒンジ部を介して直角に屈曲して対峙させ、前記指掛け面部を補助ヒンジ部を介して上記ワーク面部の外周に沿って折り曲げてワーク面部間の側方の開口を塞いで密閉した多角柱体状の立体構造物とし、
使用時には、ベース面部の左右にワーク部材が略同一水平面となるように展開し、指掛け面部は不使用時とは逆向きに補助ヒンジ部を介して折り曲げ先端をベース面部に係止して使用者の指等を挿入しうる大きさの環状に形成してなることを特徴とする折畳式指掛け構造体。
【請求項２】
正方形または長方形からなるベース面部と、
該ベース面部の左右の辺に沿って第１、第２ヒンジ部を形成して表側に略直角に屈曲可能にそれぞれ連設された左右対称のワーク面部と、
上記ベース面部の下方の辺に沿って延び、第３ヒンジ部を形成して表裏いずれの側にも略直角に屈曲可能に連結された指掛け面部とからなり、
該指掛け面部は、前記左右のワーク面部のベース面部との連結部分を除いた外周の辺にそれぞれ対応した長さに設定された可撓性を有する一つの片からなっており、
前記ベース面部と指掛け面部とには、箱形に折り曲げた際、および指掛け用の筒体に折り曲げられた際に両者を着脱可能に係止する係止手段を設けており、
不使用時には、ベース面部の左右のワーク面部を第１、第２ヒンジ部を介して直角に屈曲して対峙させ、前記指掛け面部を上記ワーク面部の外周に沿って撓ませてワーク面部間の側方の開口を塞いで密閉した立体構造物とし、
使用時には、ベース面部の左右にワーク部材が略同一水平面となるように展開し、指掛け面部は不使用時とは逆向きに曲げて湾曲し、先端をベース面部に係止して使用者の指等を挿入しうる大きさの環状に形成してなることを特徴とする折畳式指掛け構造体。
【請求項３】
ワーク部材が、ベース面部とワーク面部にそれぞれ設けられたブラシ類、またはスポンジからなっていることを特徴とする請求項１または２のいずれかに記載の折畳式指掛け構造体。
【発明の詳細な説明】
【０００１】
【発明の属する技術分野】
この発明は、指に掛け止めて使用することができる折畳式指掛け構造体に関する。
【０００２】
【従来の技術】
従来、ブラシ類などにおいて折畳んで小型化された製品が種々提案されているが、不使用時にはブラシが露出しているので、ブラシの付着物が周囲に付着したり、逆に周囲のゴミや埃がブラシに付着する欠点があり、別体の袋などに収納する必要があった。
上記問題点はブラシ類に限らず、各種のワーク部材を折り畳んで小型化する場合に共通の問題点であり、その改善が待たれていた。
【０００３】
【発明が解決しようとする課題】
この発明は、上述した事情に鑑みてなされたものであり、その主たる課題は、
指に掛け止めて使用するブラシ類その他各種のワーク部材を、不使用時には密閉することができ、使用時には展開して指に掛け止めることができる折畳式指掛け構造体を提供することにある。
【０００４】
【課題を解決するための手段】
この発明は、上記課題を達成するために、請求項１の発明では、
正方形または長方形からなるベース面部と、
該ベース面部の左右の辺に沿って第１、第２ヒンジ部を形成して表側に略直角に屈曲可能にそれぞれ連設された多角形からなる左右対称のワーク面部と、
上記ベース面部の下方の辺に沿って延び、第３ヒンジ部を形成して表裏いずれの側にも略直角に屈曲可能に連結された指掛け面部とからなり、
該指掛け面部は、前記左右のワーク面部のベース面部との連結部分を除いた外周の辺にそれぞれ対応した数と長さに設定された複数の指掛け構成面部と、前記第３ヒンジ部と平行し前記連接する指掛け構成面部間に設けられて表裏いずれの側にも略直角に屈曲可能な複数の補助ヒンジ部とからなっており、
該指掛け面部は、前記左右のワーク面部のベース面部との連結部分を除いた外周の辺にそれぞれ対応した数と長さに設定された複数の指掛け構成面部と、前記第３ヒンジ部と平行し前記連接する指掛け構成面部間に設けられて表裏いずれの側にも略直角に屈曲可能な複数の補助ヒンジ部とからなっており、
前記ベース面部と指掛け面部とには、箱形に折り曲げた際、および指掛け用の筒体に折り曲げられた際に両者を着脱可能に係止する係止手段を設けており、
不使用時には、ベース面部の左右のワーク面部を第１、第２ヒンジ部を介して直角に屈曲して対峙させ、前記指掛け面部を補助ヒンジ部を介して上記ワーク面部の外周に沿って折り曲げてワーク面部間の側方の開口を塞いで密閉した多角柱体状の立体構造物とし、
使用時には、ベース面部の左右にワーク部材が略同一水平面となるように展開し、指掛け面部は不使用時とは逆向きに補助ヒンジ部を介して折り曲げ先端をベース面部に係止して使用者の指等を挿入しうる大きさの環状に形成してなることを特徴とする。
また、請求項２の発明は、
正方形または長方形からなるベース面部と、
該ベース面部の左右の辺に沿って第１、第２ヒンジ部を形成して表側に略直角に屈曲可能にそれぞれ連設された左右対称のワーク面部と、
上記ベース面部の下方の辺に沿って延び、第３ヒンジ部を形成して表裏いずれの側にも略直角に屈曲可能に連結された指掛け面部とからなり、
該指掛け面部は、前記左右のワーク面部のベース面部との連結部分を除いた外周の辺にそれぞれ対応した長さに設定された可撓性を有する一つの片からなっており、
前記ベース面部と指掛け面部とには、箱形に折り曲げた際、および指掛け用の筒体に折り曲げられた際に両者を着脱可能に係止する係止手段を設けており、
不使用時には、ベース面部の左右のワーク面部を第１、第２ヒンジ部を介して直角に屈曲して対峙させ、前記指掛け面部を上記ワーク面部の外周に沿って撓ませてワーク面部間の側方の開口を塞いで密閉した立体構造物とし、
使用時には、ベース面部の左右にワーク部材が略同一水平面となるように展開し、指掛け面部は不使用時とは逆向きに曲げて湾曲し、先端をベース面部に係止して使用者の指等を挿入しうる大きさの環状に形成してなることを特徴とする。
更に、請求項３の発明では、
ワーク部材が、ベース面部とワーク面部にそれぞれ設けられたブラシ類、またはスポンジからなっている、という技術的手段を講じている。
【０００６】
【発明の実施の形態】
以下に、この発明の折畳式指掛け構造体の好適実施例について図面を参照しながら説明する。
図１から図４に示す折畳式指掛け構造体１は、ワーク部材として頭髪用のブラシ１０を設けた構造からなっている。
【０００７】
即ち、この折畳式指掛け構造体１は、合成樹脂材などからなって、展開時にプレート状となり、折畳時に略立方体となる。
即ち、中央に略正方形からなるベース面部２を有し、該ベース面部２の左右の辺に沿って裏面側に断面ＶないしＵ字状の第１ヒンジ部２ａおよび第２ヒンジ部２ｂが形成されて、表側に略直角に屈曲可能にそれぞれ連設された左右対称のワーク面部３、４を連接している。
【０００８】
また、上記ベース面部２の下方の辺に沿って第３ヒンジ部２ｃが形成されており、該第３ヒンジ部２ｃを支点として表裏いずれの側にも略直角に屈曲可能に連結された指掛け面部５が一体に連設されている。
この指掛け面部５は、前記左右のワーク面部３、４のベース面部２との連結部分を除いた外周の辺（図示例では三辺）に対応した長さで３つの指掛け構成面部５１、５２、５３が、前記ベース面部２の下方の辺に沿った第３ヒンジ部２ｃと平行して屈曲支点となる第１補助ヒンジ部５ａおよび第２補助ヒンジ部５ｂで連結されている。
【０００９】
ここで図示例では、ベース面部２と指掛け構成面部５１、５２、５３のそれぞれの裏面には湾曲面５４が形成されており、使用時に外向きに折り畳まれて筒体になった際に指にフィット感を与えうるようになっている。
また、前記第３ヒンジ部２ｃと第１、第２補助ヒンジ部５ａと５ｂとは、表裏いずれにも略直角に屈曲しうるように表裏両面に断面ＶまたはＵ字状の溝が対称に形成された公知のヒンジ溝形状からなっている。
【００１０】
次に、前記ベース面部２と左右のワーク面部３、４の表側には、左右のワーク面部３、４をベース面部２に直角となるように屈曲して折り畳めるようにワーク部材となる頭髪用ブラシ１０を取付けている。
即ち、頭髪用ブラシ１０は、３分割されてそれぞれのブラシ部材１０Ａ、１０Ｂ、１０Ｃがベース面部２と左右のワーク面部３、４に設けられており、図５から図８で模式的に示すように相互が衝合し合って折畳めないことが無いように位置をずらしている。
【００１１】
図示例では、ベース面部２に取り付けたブラシ部材１０Ａの配置を基準とし、左右のワーク面部３、４に設けたブラシ部材１０Ｂ、１０Ｃのブラシ１０ｂ、１０ｃが折畳時にブラシ部材１０Ａのブラシ１０ａの隙間に位置（図５参照）するように前後方向に僅かにずらして配置している。
また、左右のワーク面部３、４に設けたブラシ部材１０Ｂ、１０Ｃは、折畳時にブラシ部材１０Ｂのブラシ１０ｂの隙間にブラシ部材Ｃのブラシ１０ｃが位置して上下に重なる（図５参照）ように相対的に左右方向にずらして配置している。
これにより、ブラシ部材１０Ａ、１０Ｂ、１０Ｃは相互に衝合することなくブラシ間の隙間に入り込んで、コンパクトに折り畳むことができる。
【００１２】
次に、前記ベース面部２の上方の辺２ｄの一部と指掛け面部５の先端には、該指掛け面部５を表側に曲げてベース面部２に連結して筒状となし、また裏側に曲げて逆向きの環状としてベース面部２に連結して筒状となした際に着脱可能に凹凸係止する一対の係止手段６ａ、６ｂを設けている。
図示例の場合、ベース面部２の上方の端部中央に係止突部となる鉤状の突部６ａを突設しており、指掛け構成面部５３の先端部の略中央には上記突部６ａと係脱可能な係止受部となる凹部６ｂを突設している。
この突部６ａと凹部６ｂは、前述のように指掛け構成面部５１〜５３を表裏いずれの側から折りまげて筒状に形成した場合にもこれに係止しうるように構成されている。
【００１３】
上記のように構成された折畳式指掛け構造体１は、不使用時には、ベース面部２の左右のワーク面部３、４をヒンジ部２ａ、２ｂに沿って内向き（図中上方）に直角に屈曲して対峙させ（図４、図８参照）、次いで前記指掛け面部５を展開した後に上記ワーク面部３、４の外周に沿ってヒンジ部２ｃ、５ａ、５ｂを順次内向きに屈曲してワーク面部３、４間の隙間を塞いで密閉した立方体に折り畳み、係止手段６ａ、６ｂを係止して上記折畳み姿勢を保持する（図３、図６参照）。
これにより、折畳式指掛け構造体１はコンパクトに折り畳まれると共に、頭髪用ブラシ１０は内部に密閉されるので、外部からのゴミや埃が侵入することがなく、またブラシ１０の付着物が周囲に分散したり付着することもない。
【００１４】
次に、この折畳式指掛け構造体１の使用時には、ベース面部２の左右にワーク部材３、４が略同一水平面となるように展開し、指掛け面部５は不使用時とは逆向きに第３〜第５ヒンジ部２ｃ、５ａ、５ｂを逆に折りまげて筒状とし、その先端の指掛け構成面部５３の凹部６ｂをベース面部２の突部６ａに係止して筒体とする（図３参照）。
これにより、使用者は、１本または複数本の指を上記指掛け面部５で形成された筒体に挿入して、ベース面部２の左右に展開されたワーク面部３、４上の頭髪用ブラシ１０を用いて整髪することができる。
【００１５】
上記実施例でワーク部材の一例として頭髪用ブラシを示したが、図９に示すように可撓性、柔軟性を有するブラシ、例えば洋服用の刷毛や歯ブラシなどのブラシ類１０’であってもよい。
この場合は、各ブラシ部材１０Ａ’、１０Ｂ’、１０Ｃ’の配置を相互にずらさなくても、互いによけて重なり合って折り畳むことができる。
その他の構成は前記実施例と同様であるのでその説明を省略する。
【００１６】
次に、図１０に示すワーク部材は、やや弾性を有するエチケットブラシや、靴磨き用のスポンジを用いた異なる実施例を示す。
このワーク部材２０も、前記実施例と同様に３分割されてそれぞれのワーク部材２０Ａ、２０Ｂ、２０Ｃがベース面部２と左右のワーク面部３、４に設けられている。
この場合は、ワーク部材２０Ａ、２０Ｂ、２０Ｃ相互が弾性を有しているので折畳時にぶつかっても相互に押圧して弾性変形して、収納することができる。
その他の構成は前記実施例と同様であるのでその説明を省略する。
【００１７】
次に、図１１は、ワーク部材３０が、電源部３１と、スピーカー３２と、タッチセンサー３３とからなる防犯警報器の場合の応用例を示す。
この折畳式指掛け構造体１では、ベース面部２上にスピーカー（ブザー）３２に配置され、左のワーク面部３にはボタン電池からなる電源部３１が配置され、右のワーク面部４にはスイッチとなるタッチセンサー３３が設けられている。
そして、それぞれの素子の間はリード線で接続されて回路を構成している。
なお、タッチセンサー３３は、接触部３３ａを外方へ突出して感知しやすいように構成することが好ましい。
【００１８】
また、スピーカー（ブザー）３２や電源部３１は露出してもよいがケーシングで覆ってもよい。
これによれば、指掛け面部５を筒体に折り畳んで図示の使用状態とし、指を入れて、前記接触部３３ａを軽く押しつけることでタッチセンサー３３を作動してブザーを鳴らすことができ、簡便な痴漢防止用の防犯ブザー等として使用することができる。
また、ワーク部材以外の構成は前記実施例と同様であるのでその説明を省略する。
【００１９】
次に、図１２に示す応用例としての折畳式指掛け構造体１では、ワーク部材４０が、ミラーや拡大レンズなどからなっている。
図示例では、倍率の異なる拡大レンズ４１、４２、４３が、ベース面部２、左右のワーク面部３、４にそれぞれ枢着されており、それぞれの面に対して直角となるまで枢動することができる。
枢着構成は、図示例の場合、拡大レンズ４１〜４３に軸部Ｐが突設され、該軸部をガイド孔Ｇに貫挿してガイドする一対のガイドレールＬが形成されている。
【００２０】
ここでガイド孔Ｇは、端部で立ち上がって、直交位置で拡大レンズの姿勢をロックしうるようになっている。
従って、使用時には、使用者は必要とする倍率の拡大レンズを選択し、該当の拡大レンズをスライドして直角に起立させて、対象物を見ることができる。
この拡大レンズの摺動乃至起立作動の構成は上記実施例に限定されず、ヒンジ構造を用いて起倒するなど、その他、公知の起伏構造を用いることができる。
また、ワーク部材以外の構成は前記実施例と同様であるのでその説明を省略する。
【００２１】
上記実施例では、左右のワーク面部３、４を正方形または長方形とした場合を例示したが、その他の多角形であってもよい。
図１３では左右のワーク面部３、４が五角形からなっており、その場合に、底辺がベース面部２に第１、第２ヒンジ部２ａ、２ｂを介して連設されていればよく、指掛け面部５は、前記左右のワーク面部３、４のベース面部２との連結部分となる第１、第２ヒンジ部２ａ、２ｂを除いた外周の辺の長さ（図示例では３ａ〜３ｄ＝４ａ〜４ｄ）に設定されると共に、その外周の辺の数（５−１）４に対応する４つの指掛け構成面部５１〜５４が前記ベース面部２の下方の辺に沿った第３ヒンジ部２ｃと平行する第１、第２、第３補助ヒンジ部を介して連設されている。
【００２２】
次ぎに左右のワーク面部３、４は多角形状に限らず略円形状であってもよい。
図１４では左右のワーク面部３、４が底辺がベース面部２に第１、第２ヒンジ部２ａ、２ｂを介して連設されており、それ以外は円弧形状からなる略円形状からなっている。
この場合、指掛け面部５は、前記左右のワーク面部３、４のベース面部２との連結部分となる第１、第２ヒンジ部２ａ、２ｂを除いた外周の辺の長さに設定されている。
【００２３】
この指掛け面部は前記実施例のように中途にヒンジを有して区分されておらず、可撓性を有して一連に形成されている。
これにより、前記円弧形状のワーク面部３、４の外周に沿って覆うことができるし、また指掛け面部５を折り曲げて筒状とする際には略断面円弧状の筒形状に形成することができる。
【００２４】
この指掛け面部５の構造は、ワーク面部３、４の外周が円弧形状に限らず、前記多角形状の場合にも適用することができる（図１５参照）。
なお、これらの指掛け面部の側端部には、左右のワーク面部の外周辺との間に補助的に凹凸係合する補助係止手段７ａ、７ｂを適宜に設けてもよい（図１４参照）。
これにより、折畳時におけるワーク面部２、３と指掛け面部５との係合を一層確実に行うことができる。
【００２５】
上記実施例ではワーク部材の一例を列挙したが、この発明ではワーク部材は特に限定されるものではなく、指を挿入して使用することができるものであって、ワーク面部２、３を折り畳んだ際にそのエリアに収納しうるものであればどのような構成であってもよい。
また、上記実施例は、それぞれの構成を適宜置き換えて用いることがてき、図示例に限定されるものではない。
その他、要するにこの発明の要旨を変更しない範囲で種々設計変更しうること勿論である。
【００２６】
【発明の効果】
この発明の折畳式指掛け構造体は、上記構成から成っているので、指に掛け止めて使用するブラシ類その他各種のワーク部材を、不使用時には密閉することができ、使用時には展開して指に掛け止めることができる。
これにより、不使用時にはワーク部材が露出せずに密閉されるので、ワーク部材の付着物が周囲に付着したり、逆に周囲のゴミや埃がワーク部材に付着することがなく、周囲を清潔に保つことができると共に、ワーク部材の機能の信頼性を損なう虞れもない。
また、ワーク部材を収納する別体の袋などを要さず、使用時に指を通す筒体となる指掛け面部を逆に折り曲げるだけでワーク部材を囲んで収納することができるので、簡便且つ手軽に使用することができて極めて有益である。
更に、ワーク部材は種々の構成のものを取り付けることができるので汎用性が高い。
【図面の簡単な説明】
【図１】第１実施例の折畳式指掛け構造体の展開した状態の斜視図である。
【図２】ブラシ部を省略した折畳式指掛け構造体の展開した状態の斜視図である。
【図３】第１実施例の折畳式指掛け構造体の指掛け面部を筒状に折り曲げた状態の斜視図である。
【図４】不使用時に略立方体に折畳んだ状態を示す斜視図である。
【図５】ワーク面部の折畳時におけるブラシの交差状態を説明する模式図である。
【図６】同ワーク部材となるブラシ部材の配置を示す使用状態の模式図である。
【図７】同指掛け面部を展開した状態の模式図である。
【図８】同折畳時のブラシ部材の配置を示す模式図である。
【図９】第２実施例の折畳式指掛け構造体の使用状態を示す斜視図である。
【図１０】第３実施例の折畳式指掛け構造体の使用状態を示す斜視図である。
【図１１】折畳式指掛け構造体の応用例１の使用状態を示す斜視図である。
【図１２】折畳式指掛け構造体の応用例２の展開状態を示す斜視図である。
【図１３】ワーク面部を多角形状の一例としての五角形状とした折畳式指掛け構造体の展開状態を示す平面図である。
【図１４】ワーク面部をの外周を円弧形状とし、指掛け面部を可撓性とした折畳式指掛け構造体の展開状態を示す平面図である。
【図１５】ワーク面部を多角形状とし、指掛け面部を可撓性とした折畳式指掛け構造体の斜視図である。
【符号の説明】
１・・・折畳式指掛け構造体
２・・・ベース面部
３・・・左ワーク面部
４・・・右ワーク面部
５・・・指掛け面部
５１、５２、５３・・・指掛け構成面部
６ａ・・・突部
６ｂ・・・凹部
７ａ、７ｂ・・・補助係止手段
１０・・・頭髪用ブラシ
１０’・・ブラシ類
２０・・・第２実施例のワーク部材
３０・・・第３実施例のワーク部材（防犯警報器）
４０・・・第４実施例のワーク部材
【図１】
0003543122.tif 000002
【図２】
0003543122.tif 000003
【図３】
0003543122.tif 000004
【図４】
0003543122.tif 000005
【図５】
0003543122.tif 000006
【図６】
0003543122.tif 000007
【図７】
0003543122.tif 000008
【図８】
0003543122.tif 000009
【図９】
0003543122.tif 000010
【図１０】
0003543122.tif 000011
【図１１】
0003543122.tif 000012
【図１２】
0003543122.tif 000013
【図１３】
0003543122.tif 000014
【図１４】
0003543122.tif 000015
【図１５】
0003543122.tif 000016